(57)【要約】      （修正有）【課題】再印刷を行う際における操作の手間を省き、使い勝手のよい画像形成装置を提供する。【解決手段】本プリンタは、あるファイルについてダイレクト印刷を行った場合、ダイレクト印刷されたファイルのラスターデータをプリンタに保存させるようにしている。しかも、ユーザが複数のファイル（上記例ではファイルＡ、ファイルＣ）をダイレクト印刷の対象として希望した場合、これらの各ファイルのラスターデータが、個々のジョブとして別々に登録されず、一のジョブにまとめられて本プリンタに登録されるようになっている。従って、これら複数ファイルを改めてリプリントする場合、該当する単一のジョブを指定してリプリントの指示を与えれば、複数ファイルが一括して印刷される。【選択図】図６
2008183890.tif 000002
【特許請求の範囲】
【請求項１】
印刷部と、
外部記憶装置が着脱可能に接続される接続部と、
前記接続部に接続された外部記憶装置から読み出された印刷対象物を、ラスターデータに変換するデータ変換手段と、を備え前記ラスターデータに基づいて前記印刷部を制御して記録媒体上に前記印刷対象物を印字させる画像形成装置であって、
前記印刷対象物が複数あった場合に、前記外部記憶装置、或いは前記画像形成装置に設けられた内部記憶装置のいずれか一方の場所に前記複数の印刷対象物のラスターデータを単一の印刷ジョブとして記憶させる記憶制御手段を備え、前記単一の印刷ジョブを対象とする単一の再印刷指令により前記複数の印刷対象物を一括して再印刷可能としたことを特徴とする画像形成装置。
【請求項２】
前記印刷ジョブを前記内部記憶装置に記憶させる構成としたことを特徴とする請求項１に記載の画像形成装置。
【請求項３】
認証情報を入力するための認証情報入力手段と、
前記内部記憶装置に記憶された前記印刷ジョブに基づいて前記印刷対象物を前記印刷部によって再印刷させる再印刷処理を許可するか否かを、前記認証情報に基づいて判定する判定手段と、を備えたことを特徴とする請求項２に記載の画像形成装置。
【請求項４】
前記印刷ジョブを前記内部記憶装置に記憶させる際に、前記認証情報入力手段によって第一の認証情報を入力させる構成とする一方、前記再印刷の実行前段階において前記認証情報入力手段によって第二の認証情報を入力させる構成とし、これら第一の認証情報と第二の認証情報が一致することを条件に前記判定手段が前記再印刷処理を許可することを特徴とする請求項３に記載の画像形成装置。
【請求項５】
入力操作に応じた分岐処理を行なうことで、前記再印刷処理を許可する条件に前記両認証情報の一致を課す処理と、前記再印刷処理を許可する条件に前記一致を課さない処理とを択一的に実行させる分岐手段が設けられていることを特徴とする請求項４に記載の画像形成装置。
【発明の詳細な説明】
【技術分野】
【０００１】
本発明は、外部の記憶媒体からファイル等の印刷対象物を直接取り込んで印刷を行う、いわゆるダイレクト印刷機能を備えた画像形成装置に関する。
【背景技術】
【０００２】
この種の画像形成装置の一例として、下記特許文献１には次のような開示がある。プリンタには、ストレージクラスのＵＳＢデバイスとしてディジタルカメラなどを接続することが出来る。そして、接続されたディジタルスチルカメラから画像の読み出しが行われると、プリンタの記録実行部が駆動され、上記画像がプリンタによりプリントされる。また、当該プリント出力の対象となった画像はプリント出力後、プリンタの内部記憶手段に自動的に格納される。このように印刷対象物を内部記憶手段に自動格納してやれば、プリンタ単独で、印刷対象物を再印刷出来る。
【特許文献１】特開２００５−２８０２８５公報
【発明の開示】
【発明が解決しようとする課題】
【０００３】
しかしながら、複数種の印刷対象物が同時期にプリントされたにも拘わらず、これらが個々のジョブとしてプリンタに登録されると、各印刷対象物を再印刷するには、各ジョブについてそれぞれ再印刷の指示が必要となる。従って、印刷対象物が多数になると、操作に手間がかかり、煩わしさがあった。
本発明は上記のような事情に基づいて完成されたものであって、再印刷を行う際における操作の手間を省き、使い勝手のよい画像形成装置を提供することを目的とする。
【課題を解決するための手段】
【０００４】
上記の目的を達成するための手段として、請求項１の発明は、印刷部と、外部記憶装置が着脱可能に接続される接続部と、前記接続部に接続された外部記憶装置から読み出された印刷対象物を、ラスターデータに変換するデータ変換手段と、を備え前記ラスターデータに基づいて前記印刷部を制御して記録媒体上に前記印刷対象物を印字させる画像形成装置であって、前記印刷対象物が複数あった場合に、前記外部記憶装置、或いは前記画像形成装置に設けられた内部記憶装置のいずれか一方の場所に前記複数の印刷対象物のラスターデータを単一の印刷ジョブとして記憶させる記憶制御手段を備え、前記単一の印刷ジョブを対象とする単一の再印刷指令により前記複数の印刷対象物を一括して再印刷可能としたところに特徴を有する。
【０００５】
請求項２の発明は、請求項１に記載のものにおいて、前記印刷ジョブを前記内部記憶装置に記憶させる構成としたところに特徴を有する。
【０００６】
請求項３の発明は、請求項２に記載のものにおいて、認証情報を入力するための認証情報入力手段と、前記内部記憶装置に記憶された前記印刷ジョブに基づいて前記印刷対象物を前記印刷部によって再印刷させる再印刷処理を許可するか否かを、前記認証情報に基づいて判定する判定手段と、を備えたところに特徴を有する。
【０００７】
請求項４の発明は、請求項３に記載のものにおいて、前記印刷ジョブを前記内部記憶装置に記憶させる際に、前記認証情報入力手段によって第一の認証情報を入力させる構成とする一方、前記再印刷の実行前段階において前記認証情報入力手段によって第二の認証情報を入力させる構成とし、これら第一の認証情報と第二の認証情報が一致することを条件に前記判定手段が前記再印刷処理を許可するところに特徴を有する。
【０００８】
請求項５の発明は、請求項４に記載のものにおいて、入力操作に応じた分岐処理を行なうことで、前記再印刷処理を許可する条件に前記両認証情報の一致を課す処理と、前記再印刷処理を許可する条件に前記一致を課さない処理とを択一的に実行させる第二の分岐手段が設けられているところに特徴を有する。
【発明の効果】
【０００９】
＜請求項１の発明＞
この発明によれば、複数の印刷対象物（それらをデータ展開したラスターデータ）を単一の印刷ジョブとして記憶させるようにしたので、係る印刷ジョブを対象とする単一の印刷指令により、複数の印刷対象物をまとめて再印刷出来る。
【００１０】
＜請求項２の発明＞
この発明によれば、印刷ジョブは、画像形成装置の内部記憶装置に記憶される。このような構成であれば、再印刷を画像形成装置単独で行うことが出来（外部記憶装置の接続を用しない）、使い勝手がよい。
【００１１】
＜請求項３の発明＞
画像形成装置の内部記憶装置に印刷ジョブを残す構成とすると、データを残したユーザの意に反して印刷対象物が印刷されてしまう可能性もある。この発明によれば、再印刷処理を許可するか否かを、認証情報に基づいて判定させるようにした。このように再印刷の履行に一定の条件を課せば、条件を満たさない場合には、再印刷は実行されない。従って、再印刷についてセキュリティ性が高まる。
【００１２】
＜請求項４の発明＞
この発明によれば、第一の認証情報（印刷ジョブを内部記憶装置に記憶させる際に入力される認証情報）と、第二の認証情報（再印刷の実行前段階において入力される認証情報）が一致することを条件に、再印刷処理が許可される。このようにすれば、再印刷処理の実行者を、第一の認証情報を入力したユーザ（初回印刷指示者）自身、或いは同ユーザから第一の認証情報を提供された者に限定できる。言い換えれば、それ以外の者の再印刷行為を禁止できるので、セキュリティ性がより高まる。
【００１３】
＜請求項５の発明＞
本発明によれば、再印刷処理を許可する条件に認証情報の一致を課す処理と、再印刷処理を許可する条件に前記一致を課さない処理とを択一的に選択出来る。印刷物によっては、再印刷を行う際のセキュリティを高くする必要がないものもあり、本発明であれば、この問題に対応できる。
【発明を実施するための最良の形態】
【００１４】
＜実施形態１＞
本発明の実施形態１を図１ないし図１９によって説明する。図１はプリンタ１０の斜視図である。図１に示すように、プリンタ１０はボックス状の本体ケース１１を備えている。本体ケース１１の下部には給紙カセット１５が設けられる一方、本体ケース１１の上面壁は中央が装置の後方に向かって下降傾斜しつつ窪んでおり、そこは排紙トレイ１７とされている。
【００１５】
そして、本体ケース１１内には印刷エンジン６１などの各装置が収容されており、給紙カセット１５から記録媒体としての用紙が給紙されると、用紙上に所望の画像が印刷されるようになっている。そして、印刷後の用紙は排紙口１８Ａを通って排紙トレイ１７上に排紙される構成となっている。
【００１６】
本体ケース１１の上面壁のうち、一側端部（図１では左側縁部）の前半部には電源スイッチ２１と複数のＬＥＤ２２が設けられている。一方、他方の側端部（図１では右側端部）はやや幅広に形成され、そこにはタッチパネル３１が設けられている。
【００１７】
また、本体ケース１１の前面壁には、用紙を手差しする際に使用される手差し口４１が設けられるとともに、同手差し口４１の右側方であって、やや下側となる位置に外部記憶装置（本実施形態ではＵＢＳメモリ７０）を取り付けるための挿入部４５が設けられている。
【００１８】
本例では、ＵＳＢメモリ７０にＡ〜Ｃの３種のファイル（本発明の「印刷対象物」の一例）が記憶されているものとする。尚、ＵＳＢメモリ７０に上記３種のファイルを記憶させるには、コンピュータ装置Ｚで各ファイルを作成し、これをファイル出力することでＵＳＢメモリ７０に書き込むなどしてやればよい（図２、図３参照）。尚、図２に示す符号１１０はコンピュータ装置本体、符号１２０はディスプレイ装置、符号１３０、１４０はユーザインターフェースである。
【００１９】
次に、タッチパネル３１の構成について説明を行う。図４に示すように、タッチパネル３１は長方形状をなす。タッチパネル３１上には、同パネルの上半分の領域を占める大きさの表示ボックス３３が設けられている。この表示ボックス３３の中央部は表示領域Ａとされる。表示領域Ａには、操作に応じた表示がなされ、次述する各種キーを使用して行われるユーザの入力操作をサポートするようになっている。
【００２０】
本実施形態のタッチパネル３１は表示ボックス３３の下方に、テンキー３５、上下キー３６、左右キー３７が左右に並んで設けられる他、下部左隅には、モード選択キー３８が設けられている。そして、これら各キーに加えて、表示ボックス３１のエリア内にも、３３Ａ〜３３Ｃの３つのキーが設けられている。
【００２１】
これら３つのキー３３Ａ〜３３Ｃは、ユーザの入力操作の進行に合わせて、表示されたり、表示されなくなったり、或いは表示内容が切り替わるようになっている。尚、表示内容が切り替わるというのは、例えば、ある時点において、キー３３Ｃは、「印刷」と表示されていたものが、別の時点では、「決定」と表示されるなどである。
【００２２】
キー操作（以下、パネル操作とも言う）の詳細については後に詳しく説明するが、ユーザは表示領域Ａに表示される表示内容を参照しつつ、これら各キーを操作することでプリンタ１０に印刷の指令を与えられる。
【００２３】
また、本実施形態のプリンタ１０には、印刷モード、リプリントモードの２つのモードが設定されており、ユーザはモード選択キー３８を操作することで、これら両モードのいずれかを選択することが出来る。
【００２４】
尚、印刷モードとは、ＵＳＢメモリ７０を挿入部４５に接続して、ＵＳＢメモリ７０内のファイルをプリンタ１０でダイレクト印刷するモードである。一方、リプリントモードとは、ダイレクト印刷が行われた印刷物をプリンタ１０単体で再印刷処理（以下、リプリントとも言う）するモードである。
【００２５】
次に、図５を参照して上記プリンタ１０の電気的構成を説明する。同図に示すように、プリンタ１０はＣＰＵ５１、ＲＯＭ５３、ＲＡＭ５５、不揮発性メモリ５７などを備え、ＣＰＵ５１に対して印刷エンジン６１、タッチパネル３１、ＵＳＢインターフェース６５が電気的に接続される構成とされている。
【００２６】
ＲＯＭ５３にはプリンタ１０を構成する各装置を制御するための各種制御プログラムや各種設定値、初期値等が記憶されている。これらＲＯＭ５３に記憶された各種制御プログラム、及び各種データはＲＡＭ５５上に読み出されるようになっている。そして、読み出された制御プログラムがＣＰＵ５１によって実行されることで、次に説明するフローチャート図（図６）に従って制御がなされ、上記印刷モード、リプリントモードに応じた印刷処理が実行されるようになっている。以下、各ステップを順に説明してゆく。
【００２７】
電源スイッチ２１が投入されるなどＣＰＵ５１が起動されると、ＣＰＵ５１はステップ１０の処理を行う。ステップ１０では、プリンタ１０にＵＳＢメモリ７０が接続されているか否かの判定が行われる。一般に電源スイッチ２１の投入直後はＵＳＢメモリ７０は接続されておらず、ＣＰＵ５１はＮＯ判定を行う。
【００２８】
その後、処理はステップ１００に移行される。ステップ１００では、リプリントモードが選択されているか否かがＣＰＵ５１により判定されるが、ここでも、ＣＰＵ５１はＮＯ判定する。その結果、処理はステップ１０に再び戻る。かくして、ステップ１０→ステップ１００→ステップ１０の判定処理が繰り返され、プリンタ１０はいわゆる待機状態となる。
【００２９】
プリンタ１０の待機状態は、ユーザがプリンタ１０に対してアクセス操作を行うことで解除される。ここでいう、アクセス操作とは、ＵＳＢメモリ７０をプリンタ１０の挿入部４５に差し込む操作、あるいはモードの選択を行うべくモード選択キー３８を操作することである。
【００３０】
上記アクセス操作（ここでは、ユーザによりＵＳＢメモリ７０がプリンタ１０に接続され、又モード選択キー３８により印刷モードが選択されたものとする）が行われると、ステップ１０の処理でＹＥＳの判定され、これに続くステップ２０でもＹＥＳ判定がされる。その結果、処理はステップ３０に移行される。
【００３１】
ステップ３０では、記憶されている各ファイルをＵＳＢメモリ７０から読み出す処理がＣＰＵ５１により行われる。そして、読み出された各ファイルの名称が、ＣＰＵ５１の指令によりタッチパネル３１の表示ボックス３３上に表示されるようになっている。
【００３２】
図７の上段には、名称を読み出し後に表示される表示ボックス３３の初期画面が示されている。同図に示すように、表示ボックス３３の中央には、各ファイルの名称（ここではＡ〜Ｃ）が、縦に並べて表示される。尚、「jpg」、「pdf」、「tif」は各ファイルＡ〜Ｃの拡張子である。
【００３３】
そして、ファイル名称が表示された領域の左側部には、チェックボックス３９が表示されるようになっている。チェックボックス３９は、ファイル名称の並び方向（すなわち、縦方向）に延びる形状をなし、各ファイルに対応してチェック欄を設けている。そして、この初期画面にあっては、表示ボックス３３の下部には「戻る」のキー３３Ａと、「選択」のキー３３Ｂが並んで表示される。
【００３４】
また、同図に示す符号３４Ａは選択バーである。本実施形態のものは、タッチパネル３１の上下キー３６を操作すると、選択バー３４Ａが各ファイルの名称を表示する表示位置に移動するようになっている。
【００３５】
そして、選択バー３４Ａが所望の位置となったところで、「選択」のキー３３Ｂを操作すると、選択バー３４Ａに対応するファイルを印刷対象（より詳しく言えば、ダイレクト印刷の対象）として決定することが出来る。そして、あるファイルが印刷対象として決定されると、それに対応するチェック欄が黒く塗りつぶれた表示に切り替わり、それとともに、それまで、「選択」と表示されていたキー３３Ｂは「解除」と表示され、更に「解除」のキー３３Ｂの右側に「次へ」のキー３３Ｃが表示されるようになっている。
【００３６】
例を挙げると、図７の上段の状態では、選択バー３４Ａが名称Ａのファイルに重なった状態にあるが、その状態で、「選択」のキー３３Ｂが押されると、名称Ａのファイルに対応する最上段のチェック欄が黒く塗られて表示される（図７中の２段目参照）。
【００３７】
ユーザは、名称Ａのファイルのみ印刷を希望する場合には、この状態から「次へ」のキー３３Ｃを操作してやれば、ファイルの選択操作は終了し、次の表示画面（図８）に切り替わる。尚、図７に示す２段目の状態で、「解除」のキー３３Ｂを操作すると、ファイルの選択をキャンセルでき、これを行うと、画面は元の状態（図７の上段の状態）に復帰するようになっている。
【００３８】
また、本実施形態のプリンタ１０では、パネル操作により、印刷対象のファイルを複数選択できるようになっている。具体的に説明すると、例えば、ユーザが名称Ａのファイルに加えて、他のファイルについても印刷を希望する場合、図７に示す２段目の状態から、上下キー３６を操作すると、３段目に表示されるように選択バー３４Ａが次のファイルの表示位置に移動する。
【００３９】
そして、選択バー３４Ａが未選択のファイルに対応する位置に移動されると、図７の３段目に表示されるように、それまで「解除」と表示されていたキー３３Ｂの表示が「選択」の表示に替わる。以上のことから、「選択」のキー３３Ｂを操作することで、印刷対象のファイルを追加でき、ファイルの追加がされると、対応するチェック欄が黒く塗られて表示される。
【００４０】
ここでは、図７の４段目に示すように、名称Ａのファイルと、名称Ｃのファイルが印刷の対象として選択されたものとする。
【００４１】
尚、本実施形態のものは、印刷対象として選択されたファイルには、それぞれ番号（通し番号）が付与されるようになっている。ここでは、以下の様にファイル番号が与えられる。
ファイルＡ（名称「Ａ＿ＪＰＧ」）がファイル番号１とされる。
ファイルＣ（名称「Ｃ＿ＴＩＦ」）がファイル番号２とされる。
【００４２】
ファイルの選択操作に続いて「次へ」のキー３３Ｃが操作されると、表示ボックス３３の表示が図８の表示に切り替わり、「印刷のみ」、「リプリント化（ノンセキュア化）」、「セキュア化」の３種のジョブ化選択メニューが表示される。
【００４３】
ユーザは、これら「印刷のみ」、「リプリント化」、「セキュア化」の３種のジョブ化選択メニューの中から特定のメニューをパネル操作により選択することが出来る。選択操作について具体的に説明すると、タッチパネル３１の上下キー３６を操作すると、図８に示すように、選択バー３４Ａが「印刷のみ」→「リプリント化」→「セキュア化」の表示位置に順次移動してゆく。これにより、希望するメニュー上まで選択バー３４Ａを移動させ、その状態で表示ボックス３３上のキー３３Ｃを操作することで、ユーザは希望するメニューを選択出来る。そして、メニューの選択によりステップ３０の処理が終了し、続いてステップ４０の処理が行われることとなる。
【００４４】
以下、図８の画面表示上で「印刷のみ」が選択された場合の処理をまず説明し、その後、「リプリント化」、「セキュア化」が選択された場合の処理を順を追って説明するものとする。
【００４５】
ａ）「印刷のみ」が選択された場合
ステップ４０では、ステップ３０で「セキュア化」が選択された否かを判定する処理がＣＰＵ５１により実行されるが、ここではＮＯ判定されるから、処理はステップ６０へと移行される。そして、ステップ６０では、ステップ３０で「リプリント化」が選択された否かを判定する処理がＣＰＵ５１により実行されるが、ここでもＮＯ判定がされるから、結局、処理はステップ８１へと移行される。
【００４６】
ステップ８１では、変数Ｎが１にセットされる。この変数Ｎというのは、ファイル番号に対応するものである。
【００４７】
ステップ８１の処理が完了すると、次にステップ８３に移行する。ステップ８３では、変数Ｎに対応するファイル番号のファイルをビットマップに展開（ＲＩＰ：ラスタ画像処理）してラスターデータ化する処理がＣＰＵ５１により行われる。この時点において、変数Ｎの値は１であるので、ファイル番号１番目のファイルＡがビットマップに展開されラスターデータ化される。そして、ファイルＡのラスターデータ化が完了すると、処理はステップ８５に移行される。
【００４８】
尚、ＣＰＵ５１によって実行されるステップ８３、並びに後述するステップ６３、ステップ４３の処理により、本発明のデータ変換手段の果たす処理機能が実現されている。
【００４９】
ステップ８５では、ステップ８３でデータ展開されたラスターデータに基づいてＣＰＵ５１が印刷エンジン６１など各種装置を駆動させる。これにより、ファイル番号１番目のファイルＡが印刷（ダイレクト印刷）される。
【００５０】
ステップ８５の印刷処理が完了すると、処理はステップ９３に移行される。ステップ９３では、変数Ｎの値が、印刷の対象としてユーザに選択されたファイルの個数に達しているか、否かの判定がＣＰＵ５１によって実行される。この時点における変数Ｎの値は「１」であるのに対し、印刷の対象として選択されているファイルはＡとＣであり、ファイル個数は「２」である。従って、ＮＯ判定され、処理はステップ９５に移行される。
【００５１】
ステップ９５では、変数Ｎの値を更新する処理が行われる。これにより、元は「１」であった、変数Ｎの値が「２」となる。変数の値が更新されると、これに続いて処理は、ステップ８３へと移行される。
【００５２】
すでに説明してあるように、ステップ８３では、変数Ｎに対応するファイル番号のファイルをビットマップに展開（ＲＩＰ：ラスタ画像処理）してラスターデータ化する処理がＣＰＵ５１により行われる。この時点において、変数Ｎの値は２であるので、ファイル番号２のファイルＣがビットマップに展開されラスターデータ化される。そして、ファイルＣをラスターデータ化する処理が完了すると、処理はステップ８５に移行される。
【００５３】
ステップ８５では、ステップ８３でデータ展開されたラスターデータに基づいてＣＰＵ５１が印刷エンジン６１など各種装置を駆動させる。これにより、ファイル番号２番目のファイルＣが印刷（ダイレクト印刷）される。かくして、印刷対象としてユーザに選択された二つのファイルＡ、Ｃの印刷が完了する。
【００５４】
ステップ８５の印刷処理が完了すると、処理はステップ９３に移行される。ステップ９３では、変数Ｎの値が、印刷の対象としてユーザに選択されたファイルの個数に達しているか、否かの判定がＣＰＵ５１によって実行される。この時点における変数Ｎの値は「２」であるのに対し、印刷の対象のファイル個数は「２」であるので、ＹＥＳ判定される。ステップ９３でＹＥＳ判定されると、処理はステップ１０に戻る。
【００５５】
「印刷のみ」が選択された場合の処理は以上であり、その後、プリンタ１０の挿入部４５からＵＳＢメモリ７０がユーザにより抜かれると、処理は元の状態、すなわちステップ１０→ステップ１００→ステップ１０の判定処理を繰り返す状態となる。
【００５６】
このように、ステップ３０の処理で、ジョブ化選択メニューとして「印刷のみ」が選択されると、ダイレクト印刷を行った印刷対象（ここでは、ファイルＡ、ファイルＣ）のラスターデータはプリンタ１０内に残されない。
【００５７】
従って、「印刷のみ」が選択された場合には、プリンタ１０単独で、ファイルＡ、ファイルＣをリプリント（再印刷）することは出来ず、ファイルＡ、ファイルＣをもう一度印刷するには、ＵＳＢメモリ７０をプリンタ１０の挿入部４５に改めて差し込み、上述したパネル操作についても改めて行うことが必要となる（図１９を参照）。
【００５８】
ｂ）「リプリント化」が選択された場合
上記では、ステップ３０の処理を行なう過程で、「印刷のみ」が選択された場合を説明したが、次に、ステップ３０の処理を行なう過程で「リプリント化」が選択された場合について説明を行う。尚、上記「印刷」のみの場合は、図７に示すファイルの選択操作で、ファイルＡ、ファイルＣの両ファイルが印刷対象として選択された例を示したが、ここでも、図７に示すファイルの選択操作で、ファイルＡ、ファイルＣの両ファイルが印刷対象として選択されたものとして説明を行う。
【００５９】
「リプリント化」が選択されると、表示ボックス３３の画面は、図８の中段に示す表示から図９に示す上段の表示に切り替わりＪＯＢ名が表示される。本実施形態では、図７に示すファイルの選択操作により選択されたファイルの名称（複数選択された場合は、全ファイルの名称）が、そのままＪＯＢ名として表示される設定としてある。従って、ここでは、図９に示すように「Ａ＿ＪＰＧ＿Ｃ＿ＴＩＦ」と表示される。尚、表示されたＪＯＢ名は、表示ボックス３３中の下部中央に表示される「編集」のキー３３Ｂを操作してやれば、上下、左右キー３６、３７などを用いて所定操作を行うことで図１０に示すようにＪＯＢ名を適時編集することが出来る。
【００６０】
そして、表示ボックス３３中の下側右端部に表示される「次へ」のキー３３Ｃがユーザにより操作されると、ＪＯＢ名が決定（ここでは、「Ａ＿ＪＰＧ＿Ｃ＿ＴＩＦ」に決定されたものとする）され、これにより、表示ボックス３３の表示画面が図９の上段の表示内容からＵＳＥＲ名の入力を促す図９に示す下段の表示内容に切り替わる。
【００６１】
図９の下段にはＵＳＥＲ名として「ＴＯＭ」の表示が既にされているが、表示切り替えの直後は、図１１に示すようにＵＳＥＲ名の表示エリアにユーザ名は表示されず、ユーザは上下、左右キー３６、３７などを用いて表示エリアにＵＳＥＲ名を入力する必要がある。
【００６２】
そして、ＵＳＥＲ名の入力操作に続いて、表示ボックス３３の下側右端部に表示される「決定」のキー３３Ｃが操作されると、図９において下段に示す表示画面に切り替わり、表示ボックス３３の下側右端部に「印刷」のキー３３Ｃが表示される。
【００６３】
ここまでの操作が完了すると、ステップ３０の処理が一通り終了し、ステップ４０の判定処理がＣＰＵ５１により実行される。ステップ４０では、ステップ３０の処理で「セキュア化」が選ばれたか否かを判定しており、ここではＮＯ判定される。その結果、処理はステップ６０に移行される。ステップ６０では「リプリント化」が選ばれたか否かを判定しており、ここでＹＥＳ判定される。その結果、処理はステップ６１へと移行される。
【００６４】
ステップ６１では、「印刷のみ」が選択された場合のステップ８１の処理と同様に、変数Ｎが１にセットされる。ステップ６１の処理が完了すると、次にステップ６３に移行する。ステップ６３では、変数Ｎに対応するファイル番号のファイルをビットマップに展開（ＲＩＰ：ラスタ画像処理）してラスターデータ化する処理がＣＰＵ５１により行われる。この時点において、変数Ｎの値は１であるので、ファイル番号１番目のファイルＡがビットマップに展開されラスターデータ化される。そして、ファイルＡをラスターデータ化する処理が完了すると、処理はステップ６５に移行される。
【００６５】
ステップ６５では、ステップ６３でデータ展開されたラスターデータに基づいてＣＰＵ５１が印刷エンジン６１など各種装置を駆動させる。これにより、ファイル番号１番目のファイルＡが印刷（ダイレクト印刷）される。
【００６６】
ステップ６５の印刷処理が完了すると、処理はステップ６７へと移行される。ステップ６７では、変数Ｎの値が１であるか、否かについて判定がＣＰＵ５１によってなされる。この時点において、変数Ｎの値は１であるため、ＹＥＳの判定がなされる。この結果、処理はステップ６９に移行される。
【００６７】
ステップ６９では、リプリントジョブを登録する処理が開始される。具体的に説明すると、不揮発性メモリ５７に専用の記憶領域Ｍを確保する処理が行われ、これに続いて確保された領域にステップ３０の処理においてユーザにより入力されたＪＯＢ名、更に、ＵＳＥＲ名が保存される。例えば、図１３に示すように不揮発性メモリ５７にリプリントジョブ１の記憶領域として、記憶領域Ｍ１が確保され、そこに、ＪＯＢ名「Ａ＿ＪＰＧ＿Ｃ＿ＴＩＦ」、ＵＳＥＲ名「ＴＯＭ」が保存される。
【００６８】
そして、ステップ６９の処理が完了すると、今度はステップ７１に移行される。ステップ７１では、登録されたリプリントジョブ１に、ステップ６５で印刷の対象となったＮ番目のファイルのラスターデータを追加保存する処理が行われる。これにより、ファイルＡのラスターデータが記憶領域Ｍ１に追加保存される（図１３参照）。
【００６９】
ステップ７１の処理が完了すると、ステップ７３に移行する。ステップ７３では、先に説明したステップ９３の処理と同様に、変数Ｎの値が、印刷の対象としてユーザに選択されたファイル個数に達しているか、否かの判定がＣＰＵ５１によって実行される。この時点における変数Ｎの値は「１」であるのに対し、印刷の対象として選択されているファイル個数は「２」であるのでＮＯ判定され、処理はステップ７５に移行される。
【００７０】
ステップ７５では、変数Ｎの値を更新する処理が行われる。これにより、元は「１」であった、変数Ｎの値が「２」となる。変数Ｎの値が更新されると、これに続いて処理は、ステップ６３へと移行される。
【００７１】
すでに説明してあるように、ステップ６３では、変数Ｎに対応するファイル番号のファイルをビットマップに展開（ＲＩＰ：ラスタ画像処理）してラスターデータ化する処理がＣＰＵ５１により行われる。この時点において、変数Ｎの値は２であるので、ファイル番号２のファイルＣがビットマップに展開されラスターデータ化される。そして、ファイルＣをラスターデータ化する処理が完了すると、処理はステップ６５に移行される。
【００７２】
ステップ６５では、ステップ６３でデータ展開されたラスターデータに基づいてＣＰＵ５１が印刷エンジン６１など各種装置を駆動させる。これにより、ファイル番号２番目のファイルＣが印刷される。
【００７３】
かくして、印刷対象としてユーザに選択された二つのファイルＡ、Ｃの印刷（ダイレクト印刷完了）が完了する。
【００７４】
ステップ６５の印刷処理が完了すると、処理はステップ６７に移行される。ステップ６７では、変数の値が１であるか、否かについて判定がなされる。この時点において、変数Ｎの値は２であるため、ＮＯの判定がなされる。この結果、処理はステップ６９をスキップ（飛ばして）してステップ７１に移行される。
【００７５】
ステップ７１ではリプリントジョブに、ステップ６５で印刷の対象となったＮ番目のファイルのラスターデータを追加保存する処理が行われる。この時点において、変数Ｎの値は２であるから、ここでは、ファイル番号２番目のファイルＣのラスターデータが、ファイルＡのラスターデータが格納されているリプリントジョブ１（記憶領域Ｍ１）に追加保存される（図１４参照）。
【００７６】
このように本実施形態のものは、ユーザが複数のファイル（ここでは、ファイルＡ、ファイルＣ）を印刷対象として希望した場合、印刷対象とされた各ファイルのラスターデータが、個々のジョブとして別々に登録されず、一のジョブにまとめられてプリンタ１０に登録されるようにしてある。
【００７７】
上記要領でステップ７１の処理が完了すると、処理はステップ７３へと移行される。ステップ７３では、変数Ｎの値が、印刷の対象としてユーザに選択されたファイルの個数に達しているか、否かの判定がＣＰＵ５１によって実行される。この時点における変数Ｎの値は「２」であるのに対し、印刷の対象として選択されているファイル個数は「２」であるから、ＹＥＳ判定される。ステップ７３でＹＥＳ判定されると、処理はステップ７７に移行される。ステップ７７では、リプリントジョブ１の登録を終了させる処理が行われる。
【００７８】
登録終了時におけるリプリントジョブ１のデータ構成は、図１４に示す通りであり、以下の４つのデータが一のジョブとして登録されることとなる。
（１）ＪＯＢ名「Ａ＿ＪＰＧ＿Ｃ＿ＴＩＦ」
（２）ＵＳＥＲ名「ＴＯＭ」
（３）ファイルＡのラスターデータ
（４）ファイルＣのラスターデータ
【００７９】
このように、ステップ３０の処理で、ジョブ化選択メニューとして「リプリント化」が選択されると、ダイレクト印刷を行った印刷対象（ここでは、ファイルＡ、ファイルＣ）のラスターデータがプリンタ１０内に残される。従って、「リプリント化」が選択された場合には、プリンタ１０内に残されたこれらデータを使用することで、ファイルＡ、ファイルＣをプリンタ単独でリプリント（再印刷）することが可能となる（図１９を参照）。
【００８０】
加えて、これらファイルＡとファイルＢのラスターデータは、同一のジョブ（リプリントジョブ１）として登録されているので、以下に説明するように、一度のプリント指示操作で、両ファイルＡ、Ｃを一括してリプリント出来る。尚、上述の「リプリントジョブ」、並びに後に説明する「セキュアジョブ」が本発明の「印刷ジョブ」に相当するものである。また、ＣＰＵ５１により実行されるステップ６３〜ステップ７５／ステップ４３〜ステップ５５の処理により、本発明の「記憶制御手段」の果たす処理機能が実現されている。
【００８１】
次に、リプリントについて具体的に説明する。ダイレクト印刷が終了すると、プリンタ１０からＵＳＢメモリ７０が一旦、外されるから、プリンタ１０の処理は元の状態、すなわちステップ１０→ステップ１００→ステップ１０の判定処理を繰り返す待機状態となる。
【００８２】
ダイレクト印刷がなされたファイルＡ、ファイルＣをリプリントするには、タッチパネル３１上のモード選択キー３８により「リプリントモード」を選択してやればよく、これにより、ステップ１００の処理でＹＥＳの判定がなされることから、待機状態を脱し、処理はステップ１１０へと移行される。
【００８３】
ステップ１１０では、その時点でプリンタ１０に登録されているＵＳＥＲ名が、表示ボックス３３内に一覧表示（図１２の上段参照）されるとともに、これに加えて選択バー３４Ａが表示される。
【００８４】
ダイレクト印刷したファイルＡ、ファイルＣをリプリントするには、ダイレクト印刷時に入力した自己のＵＳＥＲ名を選択しなければならず、ここでは、「ＴＯＭ」のＵＳＥＲ名を選択する必要がある。ＵＳＥＲ名の選択は、上下キー３６を介して選択バー３４Ａを移動させることで実行出来、「次へ」のキー３３Ｃを押し操作することでＵＳＥＲ名を確定出来る。図１２の例では、選択バー３４Ａが「ＴＯＭ」と表示された位置に重なっているから、その状態で「次へ」のキー３３Ｃを操作することで、ＵＳＥＲ名が「ＴＯＭ」に確定される。
【００８５】
ＵＳＥＲ名が確定すると、表示ボックス３３の表示画面が切り替わり、選択されたＵＳＥＲ名（ここでは、ＴＯＭ）で登録されているＪＯＢ名が一覧表示されることとなる（図１２の下段参照）。
【００８６】
尚、ここまでの説明では、ＵＳＥＲ名「ＴＯＭ」で登録されているジョブはＪＯＢ名が「Ａ＿ＪＰＧ＿Ｃ＿ＴＩＦ」のものしか説明してないが、この他にも「ＴＯＭ」のＵＳＥＲ名で「Ｂ＿ＰＤＦ」のジョブが登録されていたものとする。
【００８７】
ダイレクト印刷したファイルＡ、ファイルＣをリプリントするには、ダイレクト印刷時に入力したＪＯＢ名を選択しなければならず、ここでは、「Ａ＿ＪＰＧ＿Ｃ＿ＴＩＦ」のＪＯＢ名を選択する必要がある。
【００８８】
ＪＯＢ名の選択は、ＵＳＥＲ名の選択と同様に、上下キー３６を介して選択バー３４Ａを上下移動させること実行出来る。ＪＯＢ名の選択により、ステップ１１０の処理が完了する。
【００８９】
図１２に示す下段の例では、選択バー３４Ａが「Ａ＿ＪＰＧ＿Ｃ＿ＴＩＦ」のＪＯＢ名に重なった状態にあり、また、表示ボックス３３の下部右端部には「印刷」のキー３３Ｃが表示されている。
【００９０】
従って、図１２に示す下段の状態で、「印刷」のキー３３Ｃを押してやれば、ＪＯＢ名が「Ａ＿ＪＰＧ＿Ｃ＿ＴＩＦ」として登録されているジョブ、すなわちリプリントジョブ１について、印刷の指令がプリンタ１０に与えられる（ステップ１４０）。
【００９１】
すると、ＣＰＵ５１は不揮発性メモリ５７の記憶領域Ｍ１にアクセスして、データの読み出しを行い、読み出されたデータに基づいて印刷エンジン６１を駆動させる。
【００９２】
具体的には、ファイルＡのラスターデータが読み出され、これに基づき印刷エンジン６１が駆動される結果、ファイルＡがリプリントされる。そして、ファイルＡがリプリントされると、今度はファイルＣのラスターデータが読み出され、これに基づき印刷エンジン６１が駆動される。かくして、ファイルＡに続きファイルＣがリプリントされる。
【００９３】
そして、ファイルＡ、ファイルＣの両ファイルについてリプリントが完了すると、処理は再びステップ１０に戻り、ステップ１０→ステップ１００→ステップ１０の判定処理を繰り返しつつ、ユーザのアクセス操作を待つ待機状態となる。
【００９４】
尚、ステップ１１０の処理（リプリントジョブ選択メニュー処理）と、ステップ１４０の処理（リプリント処理）との間には、ステップ１２０、ステップ１３０の処理が設けられている（図６）。上記では、これらステップ１２０、ステップ１３０の処理について説明を省略したが、これらステップ１２０、１３０の両処理は次述する「セキュア化」が選択された場合に、ステップ１４０のリプリント処理を許可する条件としてパスワードの一致（詳細は次に述べる）を課すために設けられている処理である。
【００９５】
尚、ＣＰＵ５１により実行されるステップ４０の処理は、ユーザの入力操作に応じて、パスワードの一致をリプリントの実行許可条件として課す処理（ステップ４０：判定Ｙｅｓの場合）と、課さない処理（ステップ４０：判定ＮＯの場合）とを択一的に実行させる機能を担っており、本発明の分岐手段の処理機能を実現させている。
【００９６】
ｃ）「セキュア化」が選択された場合
「セキュア化」は「リプリント化」に対して、ジョブの登録時と、リプリントを実行指示する時の両時点において、ユーザにパスワードの入力を求め、両パスワードが一致している場合についてのみ、リプリントを許可するものであり、その他の処理は「リプリント化」が選択された場合と、同様の手順に従って処理が進められる。従って、「セキュア化」については、「リプリント化」に対する相違点のみ説明を行うものとする。
【００９７】
先に説明したように、ステップ３０の処理を行ったときに、「リプリント化」が選択されると（図８参照）、その後、ユーザはタッチパネル３１を介して操作を行い「ＪＯＢ名」、及び「ＵＳＥＲ名」を入力をした（図９参照）。
【００９８】
これに対し、「セキュア化」が選択された場合、ユーザは「ＪＯＢ名」、「ＵＳＥＲ名」の入力操作に続いて「パスワード（本発明の「認証情報」の一例）」を入力しなければならない（図１５参照）。パスワードの入力操作はタッチパネル３１のテンキー３５により行うことが出来、係る入力操作中、表示ボックス３３の表示は、図１６に示す表示に一旦、切り替わる。そして、表示ボックス３３の下側右端部に位置する「決定キー」３３Ｃを操作することで入力したパスワードを確定できる。
【００９９】
上記要領でパスワードが確定されると、表示ボックス３３の表示は、図１５に示す３段目の表示から４段目の表示に切り替わる。このときには、表示ボックス３３の下側右端部に「印刷」のキー３３Ｃが表示される。
【０１００】
このように、「セキュア化」が選択された場合には、ＪＯＢ名の入力操作、ＵＳＥＲ名の入力操作が完了し、その後、「パスワード」の入力操作が完了すると、初めて「印刷」のキー３３Ｃが表示される。ユーザは「印刷」のキー３３Ｃをパネル操作することで、プリンタ１０に対して印刷（ダイレクト印刷についての印刷指示）の指示を与えることが出来る。
【０１０１】
それ以降は、ステップ４０に続いてステップ４１へと移行され、ステップ４１からステップ５５の処理が、順に行なわれることとなる。これらの処理は「リプリント化」が選択された場合に実行されるステップ６１からステップ７５の処理と基本的には同じである。すなわち、印刷の対象とされたファイルをラスターデータに変換した後、そのファイルを印刷する処理が行われる（ステップ４３、４５）。
【０１０２】
そして、ファイルの印刷に続いて、セキュアジョブの登録を行い（ステップ４９）、その後、登録されたセキュアジョブに、印刷対象となったファイルのラスターデータが保存される（ステップ５１）。そして、ステップ５３では、変数Ｎがユーザが選択したファイル個数に達したか、否かの判定が行われ、個数に達していない場合には、処理は再び、ステップ４３へと戻される。
【０１０３】
これにより、印刷対象として選択されたファイルが順に印刷され、そのファイルのデータがセキュアジョブに登録されてゆく。また、セキュアジョブの登録時（ステップ４９）には、ＪＯＢ名、ＵＳＥＲ名に加えてパスワードも登録されるようになっている。かくして、ダイレクト印刷の終了時に、セキュアジョブには、図１７に示すように、印刷対象となったファイルの全てのラスターデータと、ＪＯＢ名、ＵＳＥＲ名に加えてパスワードも登録された状態になる。
【０１０４】
次に、リプリントを実行指示する際の処理を説明する。
ダイレクト印刷したファイルをリプリントするには、モード選択キー３８によって「リプリントモード」を選択しなければならず、これは、「リプリント化」を選択した場合と同じである。リプリントモードが選択されると、ステップ１００でＹＥＳ判定され、処理はステップ１１０に移行される。
【０１０５】
ステップ１１０では、ユーザはタッチパネル３１を介して操作を行い、「ＵＳＥＲ名」、「ＪＯＢ名」の選択操作を行わなくてはならない（図１８の１段目、２段目参照）。このとき、ユーザに選択された名称のジョブが、セキュアジョブに該当していると、そのときには、表示ボックス３３の表示が図１８の２段目の表示から３段目の表示へと切り替わる。
【０１０６】
図１８の２段目の例では、「Ａ＿ＪＰＧ＿Ｃ＿ＴＩＦ」のＪＯＢ名が選択された状態にあるが、これは図１７に示すようにセキュアジョブ１であるから、このような場合、セキュアジョブに該当している判定される（ステップ１２０）。
【０１０７】
図１８に示す３段目の表示画面では、ＰＡＳＳＷＯＲＤの文字の下部にパスワード入力部３４Ｂが表示される。パスワードの入力操作はタッチパネル３１のテンキー３５により行うことが出来、係る入力操作中、表示ボックス３３の表示は、図１６に示す表示に一旦、切り替わる。そして、表示ボックス３３の下側右端部に位置する「決定」のキー３３Ｃを操作することで入力したパスワードを確定できる。
【０１０８】
かくして、パスワードが確定すると、ＣＰＵ５１は、確定したパスワードについて判定を行うべく、リプリントの対象として選択されたセキュアジョブ１のパスワードを読み出す処理を行なう。
【０１０９】
その後、ＣＰＵ５１は読み出したセキュアジョブ１のパスワードと、先のステップ１１０の処理で確定されたパスワードが一致しているか、否かを照合する（ステップ１３０）。
【０１１０】
両パスワードが一致していれば、表示ボックス３３の表示はパスワードの確定操作を行った図１６の表示画面から図１８に示す４段目に表示される画面に切り替わり、表示ボックス３３の下側右端部に「印刷」のキー３３Ｃが表示される（ステップ１３０：判定Ｙｅｓ）。
【０１１１】
従って、図１８に示す４段目の状態で、「印刷」のキー３３Ｃを押してやれば、セキュアジョブ１についてプリンタ１０に印刷指示（リプリント指示）が与えられる。
【０１１２】
すると、ＣＰＵ５１は不揮発性メモリ５７の記憶領域Ｍ２にアクセスして、データの読み出しを行い、読み出されたデータに基づいて印刷エンジン６１を駆動させる。
【０１１３】
具体的には、ファイルＡのラスターデータが読み出され、これに基づき印刷エンジン６１が駆動される結果、ファイルＡがリプリントされる。そして、ファイルＡがリプリントされると、今度はファイルＣのラスターデータが読み出され、これに基づき印刷エンジン６１が駆動される。かくして、ファイルＡに続きファイルＣがリプリントされる。
【０１１４】
一方、両パスワードが一致していない場合には、ステップ１３０でＮＯ判定され、処理はステップ１１０に移行される。これにより、ユーザはステップ１１０のメニュー処理（ＪＯＢ名、ＵＳＥＲ名、パスワードの入力）を改めて行うこととなる。
【０１１５】
パスワードの不一致は、パスワードの誤入力などに起因して起こるが、このような場合、改めて行われたメニュー処理でパスワードが正しく入力されれば、次にステップ１３０の処理が実行されたときに、ＹＥＳ判定されるので、ファイルＡ、ファイルＣをリプリント出来る。
【０１１６】
一方、ステップ１３０の判定処理が、繰り返し実行されたにも拘わらず、ＮＯ判定が複数回（例えば、３回）連続して起こると、そのときには、エラー処理（例えば、異常を報知する処理）がプリンタ１０によって実行され、セキュアジョブ１（ファイルＡ、ファイルＣ）をリプリントすることは出来ない。
【０１１７】
尚、セキュアジョブの登録段階（ステップ３０）において入力されるパスワードが本発明の「第一の認証情報」に相当し、リプリントの実行段階（ステップ１１０）において入力されるパスワードが本発明の「第二の認証情報」に相当する。また、ＣＰＵ５１により実行されるステップ１３０の処理により本発明の「判定手段」の処理機能が実現されている。
【０１１８】
次に、本実施形態の効果について説明する。
これまで述べたように、本プリンタ１０は、あるファイルについてダイレクト印刷を行った場合、ダイレクト印刷されたファイルのラスターデータをプリンタに保存させるようにしている。しかも、ユーザが複数のファイル（上記例ではファイルＡ、ファイルＣ）をダイレクト印刷の対象として希望した場合、これらの各ファイルのラスターデータが、個々のジョブとして別々に登録されず、単一のジョブにまとめられてプリンタ１０に登録されるようになっている。
【０１１９】
従って、これら複数ファイルを改めてリプリントする場合、該当する単一のジョブを指定してリプリントの指示を与えれば、複数ファイルが一括して印刷される。仮に、各ファイルがそれぞれ個々のジョブとして登録されていると、複数のファイルをリプリントするには、ファイル数だけリプリントの指示操作が必要となり手間がかかるが、本例であれば、手間をかけず複数ファイルをリプリント出来る。
【０１２０】
また、本例では、ファイルのラスターデータをプリンタ１０に残している。このようにラスターデータをプリンタ１０内に残せば、プリンタ単独でリプリントを実行出来、商品性が高まる。しかし、ファイルのラスターデータをプリンタ１０に残すと、不特定の者がプリンタ１０にアクセスした場合、プリンタ１０内に残されたデータを印刷できてしまう。この点、本実施形態では、リプリント実行の条件にパスワードの一致を課しており、プリンタ内に残されたデータが、他人によって勝手に印刷されてしまうことを未然に回避できる（セキュリティ効果の向上）。
【０１２１】
一方、上述のように、リプリントの条件にパスワードの一致を求めると、印刷／リプリントを実行するまでに、パスワードの入力が必須の操作となり、煩わしさがある。また、印刷対象によっては、わざわざセキュリティを課す必要がないものもある。
【０１２２】
そこで、本実施形態では、「セキュア化」と「リプリント化」を設け、「リプリント化」が選択された場合には、リプリントの条件にパスワードの一致を求めることを止め、パスワードの入力それ自体も行わないこととした。このようにすれば、セキュリティを課す必要がない印刷対象については「リプリント化」を選択することで、操作の煩わしさなく、印刷対象を印刷／リプリントできる。
【０１２３】
加えて、本実施形態では「印刷のみ」の選択も可能となっている。これを選択すれば、リプリントを実行することは不可能となるが、ラスターデータがプリンタ１０に残されること、それ自体を回避することが可能となる。
【０１２４】
＜実施形態２＞
次に、本発明の実施形態２を図２０によって説明する。
実施形態１では、プリンタ１０に接続させる外部記憶装置の例としてＵＳＢメモリ７０を例にとって説明したが、実施形態２ではＵＳＢメモリ７０に変わってメモリカード１７０を接続させている。尚、プリンタ１０の挿入部４５はＵＳＢ対応となっており、メモリカード１７０を直接的に接続させることが出来ない。そこで、本例では、先端にカード差込口１６０を備えた接続装置１５０を介してメモリカード１７０をプリンタ１０に接続させる構成をとっている。
【０１２５】
メモリカード１７０には、例えばディジタルカメラ（不図示）などにより撮影した画像が記憶されており、これらの画像をプリンタ１０に取り込むことで、実施形態１の場合と同様に、メモリカード１７０内の画像を印刷／リプリント出来る。
【０１２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【０１２７】
（１）上記実施形態では、リプリントジョブ等をプリンタ１０に記憶させる構成をとったが、ジョブの記憶場所はプリンタ１０に限定されるものでなく、ＵＳＢメモリ７０側に記憶させるものであってもよい。
【０１２８】
（２）外部記憶装置の例として、上記実施形態ではＵＳＢメモリ７０を例にとって説明したが、外部記憶装置はこれらに限定されるものではなく、持ち運び可能なもの（リムーバブルメディア）であって、プリンタ１０への接続が可能であれば適用可能である。
【０１２９】
（３）上記実施形態では、画像形成装置の一例として印刷機能のみを有するプリンタ１０を例示したが、本発明を例えば図２１に示すような複合機（ファクシミリ機能、スキャナ機能、プリンタ機能を有するもの）２００などに適用することも可能である。尚、同図中において、符号２１０は装置本体、符号２２０は画像読取ユニットである。また、装置本体２１０の正面上部には操作部２２５が設けられている。係る操作部２２５を介して入力操作を行うことで、ジョブ化選択メニュー（「印刷のみ」、「リプリント化」、「セキュア化」など）の選択をユーザが行うことが出来るようになっている。
【０１３０】
（４）上記実施形態では、ラスターデータを不揮発性メモリ５７に記憶させておく構成をとったが、ラスターデータの記憶場所は、例えば、ＲＡＭ５５などに記憶させる構成をとってもよい。
【図面の簡単な説明】
【０１３１】
【図１】実施形態１におけるプリンタの斜視図
【図２】コンピュータ装置の外観構成を示す図
【図３】ファイル出力が選択された状態を示す図
【図４】タッチパネルの構成を示す図
【図５】プリンタ１０の電気的構成を示すブロック図
【図６】プリンタのＣＰＵによって実行される印刷／リプリント処理の流れを示すフローチャート図
【図７】表示ボックスに表示される表示内容を示す図
【図８】同じく、表示ボックスに表示される表示内容を示す図
【図９】同じく、表示ボックスに表示される表示内容を示す図
【図１０】同じく、表示ボックスに表示される表示内容を示す図
【図１１】同じく、表示ボックスに表示される表示内容を示す図
【図１２】同じく、表示ボックスに表示される表示内容を示す図
【図１３】リプリントジョブのデータ構成を示す図
【図１４】同じく、リプリントジョブのデータ構成を示す図
【図１５】表示ボックスに表示される表示内容を示す図
【図１６】同じく、表示ボックスに表示される表示内容を示す図
【図１７】同じく、表示ボックスに表示される表示内容を示す図
【図１８】セキュアジョブのデータ構成を示す図
【図１９】印刷の仕様とジョブ化選択メニューの相関を示す図
【図２０】実施形態２におけるプリンタの斜視図
【図２１】複合機の外観構成を示す斜視図
【符号の説明】
【０１３２】
１０…プリンタ（本発明の「画像形成装置」の一例）
３１…タッチパネル（本発明の「認証情報入力手段」の一例）
４５…挿入部（本発明の「接続部」の一例）
５１…ＣＰＵ（本発明の「データ変換手段」、「記憶制御手段」、「判定手段」、「分岐手段」の一例）
５５…ＲＡＭ（本発明の「内部記憶装置」の一例）
５７…不揮発性メモリ（本発明の「内部記憶装置」の一例）
６１…印刷エンジン（本発明の「印刷部」の一例）
７０…ＵＳＢメモリ（本発明の「外部記憶装置」の一例）
【図１】
2008183890.tif 000003
【図２】
2008183890.tif 000004
【図３】
2008183890.tif 000005
【図４】
2008183890.tif 000006
【図５】
2008183890.tif 000007
【図６】
2008183890.tif 000008
【図７】
2008183890.tif 000009
【図８】
2008183890.tif 000010
【図９】
2008183890.tif 000011
【図１０】
2008183890.tif 000012
【図１１】
2008183890.tif 000013
【図１２】
2008183890.tif 000014
【図１３】
2008183890.tif 000015
【図１４】
2008183890.tif 000016
【図１５】
2008183890.tif 000017
【図１６】
2008183890.tif 000018
【図１７】
2008183890.tif 000019
【図１８】
2008183890.tif 000020
【図１９】
2008183890.tif 000021
【図２０】
2008183890.tif 000022
【図２１】
2008183890.tif 000023